(57)【要約】ユーザエージェントのための識別子の検出における信頼性を改善するための方法が提供される。本方法は、ユーザエージェントが、間欠受信（ＤＲＸ）オン継続期間の間のみ、物理的ダウンリンク制御チャネル上で半永続スケジューリング作動／再構成信号伝達の復号化を試行するステップを含む。本方法は、前記ユーザエージェントによって使用されるアップリンクＳＰＳリソースを解放するステップと、該解放後、前記ＳＰＳ作動／再構成信号伝達の検出の試行を停止するステップとをさらに含み得る。【選択図】図１
2012503444.tif 000002
【特許請求の範囲】
【請求項１】
ユーザエージェントのための識別子の検出における信頼性を改善するための方法であって、
間欠受信サイクル情報を受信することと、
バッファ状態報告を送信することと、
前記バッファ状態報告が送信された後のみ、物理的ダウンリンク制御チャネル上で半永続スケジューリング（ＳＰＳ）作動／再構成信号伝達の検出を試行することと
を含む、方法。
【請求項２】
前記ユーザエージェントによって使用されるアップリンクＳＰＳリソースを解放することと、
該解放後、前記ＳＰＳ作動／再構成信号伝達の検出の試行を停止することと
をさらに含む、請求項１に記載の方法。
【請求項３】
バッファ状態報告が送信された後のみ、物理的ダウンリンク制御チャネル上で半永続スケジューリング（ＳＰＳ）作動／再構成信号伝達の復号を試行するように構成される、構成要素を備える、ユーザエージェント。
【請求項４】
前記ユーザエージェントは、該ユーザエージェントによって使用されるアップリンクＳＰＳリソースが解放されると、前記ＳＰＳ作動／再構成信号伝達の復号を試行することを停止する、請求項３に記載のユーザエージェント。
【請求項５】
識別子の信号伝達における信頼性を改善するための方法であって、
間欠受信サイクル情報を送信することと、
バッファ状態報告を受信することと、
該バッファ状態報告の受信後のみ、物理的ダウンリンク制御チャネル上で半永続スケジューリング（ＳＰＳ）作動／再構成信号伝達を伝送することと
を含む、方法。
【請求項６】
バッファ状態報告の受信後のみ、物理的ダウンリンク制御チャネル上で半永続スケジューリング（ＳＰＳ）作動／再構成信号伝達を伝送するように構成される、構成要素を備える、アクセスデバイス。
【請求項７】
ユーザエージェントのための識別子の検出における信頼性を改善するための方法であって、
該ユーザエージェントが、間欠受信（ＤＲＸ）オン継続期間の間のみ、物理的ダウンリンク制御チャネル上で半永続スケジューリング（ＳＰＳ）作動／再構成信号伝達の復号を試行することを含む、方法。
【請求項８】
前記ユーザエージェントは、該ユーザエージェントによって使用されるアップリンクＳＰＳリソースが解放されると、前記ＳＰＳ作動／再構成信号伝達の復号を試行することを停止する、請求項７に記載の方法。
【請求項９】
前記ユーザエージェントは、該ユーザエージェントが、バッファ状態報告および音声データパケットのうちの１つをアクセスデバイスに伝送すると、前記ＳＰＳ作動／再構成信号伝達の復号を試行することを開始する、請求項７に記載の方法。
【請求項１０】
前記ＳＰＳ作動／再構成信号伝達は、アップリンクＳＰＳ作動／再構成信号伝達である、請求項７に記載の方法。
【請求項１１】
間欠受信／送信（ＤＲＸ）オン継続期間間のみ、物理的ダウンリンク制御チャネル上で半永続スケジューリング（ＳＰＳ）作動／再構成信号伝達を復号するように構成される、構成要素を備える、ユーザエージェント。
【請求項１２】
前記ユーザエージェントは、該ユーザエージェントによって使用されるアップリンクＳＰＳリソースが解放されると、前記ＳＰＳ作動／再構成信号伝達の復号を試行することを停止する、請求項１１に記載のユーザエージェント。
【請求項１３】
前記ユーザエージェントは、バッファ状態報告および音声データパケットのうちの１つのアクセスデバイスへの送信に応じて、前記ＳＰＳ作動／再構成信号伝達の復号を試行することを開始する、請求項１１に記載のユーザエージェント。
【請求項１４】
前記ＳＰＳ作動／再構成信号伝達は、アップリンクＳＰＳ作動／再構成信号伝達である、請求項１１に記載のユーザエージェント。
【請求項１５】
ユーザエージェントのための識別子の検出における信頼性を改善するための方法であって、
該ユーザエージェントが、該ユーザエージェントによって使用されるアップリンクＳＰＳリソースが解放されると、物理的ダウンリンク制御チャネル上で半永続スケジューリング（ＳＰＳ）作動／再構成信号伝達の復号を試行することを停止することを含む、方法。
【請求項１６】
前記ユーザエージェントは、該ユーザエージェントが、バッファ状態報告および音声データパケットのうちの１つをアクセスデバイスに伝送すると、前記ＳＰＳ作動／再構成信号伝達の復号を試行することを開始する、請求項１５に記載の方法。
【請求項１７】
前記ＳＰＳ作動／再構成信号伝達は、アップリンクＳＰＳ作動／再構成信号伝達である、請求項１５に記載の方法。
【請求項１８】
前記ユーザエージェントによって使用されるアップリンクＳＰＳリソースが解放されると、物理的ダウンリンク制御チャネル上で半永続スケジューリング（ＳＰＳ）作動／再構成信号伝達の復号を試行することを停止するように構成される、構成要素を備える、ユーザエージェント。
【請求項１９】
前記ユーザエージェントは、バッファ状態報告および音声データパケットのうちの１つのアクセスデバイスへの送信に応じて、前記ＳＰＳ作動／再構成信号伝達の復号を試行することを開始する、請求項１８に記載のユーザエージェント。
【請求項２０】
前記ＳＰＳ作動／再構成信号伝達は、アップリンクＳＰＳ作動／再構成信号伝達である、請求項１８に記載のユーザエージェント。
【発明の詳細な説明】
【背景技術】
【０００１】
本明細書で使用される場合、「ユーザエージェント」および「ＵＡ」という用語は、携帯電話、携帯情報端末、携帯式またはラップトップコンピュータ、および電気通信能力を有する同様のデバイス等、携帯デバイスを指すことができる。そのようなＵＡは、加入者識別モジュール（ＳＩＭ）アプリケーション、汎用加入者識別モジュール（ＵＳＩＭ）アプリケーション、可撤性ユーザ識別モジュール（Ｒ−ＵＩＭ）アプリケーションを含む、デバイスおよびその関連汎用集積回路カード（ＵＩＣＣ）から成る場合があり、またはそのようなカードを伴わないデバイス自体から成る場合がある。「ＵＡ」という用語はまた、電話、デスクトップコンピュータ、セットトップボックス、またはネットワークノード等、同様の能力を有するが運搬可能ではないデバイスを指してもよい。ＵＡがネットワークノードである時、ネットワークノードは、無線デバイス等の別の機能に代わって作用し、無線デバイスをシミュレートまたはエミュレートすることができる。例えば、いくつかの無線デバイスの場合、典型的には、デバイス上に常駐するＩＰ（インターネットプロトコル）マルチメディアサブシステム（ＩＭＳ）セッション開始プロトコル（ＳＩＰ）クライアントは、実際にネットワーク内に常駐し、最適化されたプロトコルを使用して、デバイスにＳＩＰメッセージ情報を中継する。言い換えれば、従来無線デバイスによって実行されるいくつかの機能は、遠隔ＵＡの形態で分散することができ、その場合、遠隔ＵＡは、ネットワーク内の無線デバイスを表す。「ＵＡ」という用語はまた、ＳＩＰセッションを終結させることができる、任意のハードウェアまたはソフトウェア構成要素も指すことができる。
【０００２】
従来の無線電気通信システムにおいて、基地局内の伝送機器は、セルとして周知の地理的な領域内全体に、信号を伝送する。技術が進化するにつれ、以前では不可能であったサービスを提供可能な、より高度なネットワークアクセス機器が導入されるようになった。本高度なネットワークアクセス機器は、例えば、基地局ではなく、拡張ノードＢ（ＥＮＢ）、または従来の無線遠隔通信システムにおける同等機器より高度に進化した他のシステムおよびデバイスを含む場合がある。そのような高度なまたは次世代の機器は、ロングタームエボリューション（ｌｏｎｇ−ｔｅｒｍ  ｅｖｏｌｕｔｉｏｎ）（ＬＴＥ）機器と称されてもよく、また、そのような機器を使用するパケットベースのネットワークは、進化型のパケットシステム（ＥＰＳ）と称することもできる。本明細書で使用される「アクセスデバイス」という用語は、ＵＡに、電気通信システム内の他の構成要素へのアクセスを提供可能な、従来の基地局またはＬＴＥ  ＥＮＢ等の任意の構成要素を指す。
【０００３】
パケットデータの場合、ＵＡとアクセスデバイスとの間でデータを搬送する信号は、周波数、時間、および符号化パラメータの特定のセット、ならびにアクセスデバイスによって指定される可能性がある他の特徴を有することができる。ＵＡとそのような特徴の特定のセットを有するアクセスデバイスとの間の接続は、リソースと称することができる。アクセスデバイスは、通常、特定の時間において通信する各ＵＡで、異なるリソースを確立する。
【発明の概要】
【課題を解決するための手段】
【０００４】
最初に、本開示の１つ以上の実施形態の例証的実装が以下に提供されるが、開示されるシステムおよび／または方法は、現在周知または既存であるかどうかを問わず、任意の数の技術を使用して実装されてもよいことを理解されたい。本開示は、本明細書に例証および記載される例示的設計および実装を含む、以下に例証される例証的実装、図面、および技術にいかようにも制限されず、添付の請求項の範囲とともに、その同等物の全範囲内において修正されてもよい。
【０００５】
一実施形態によると、ユーザエージェントのための識別子の検出における信頼性を改善するための方法が提供される。本方法は、ユーザエージェントが、間欠受信／送信オン継続期間の間のみ、物理的ダウンリンク制御チャネル上で半永続スケジューリング作動／再構成信号伝達の復号を試行するステップを含む。
【０００６】
別の実施形態では、ユーザエージェントが提供される。ユーザエージェントは、間欠受信／送信オン継続期間の間のみ、物理的ダウンリンク制御チャネル上で半永続スケジューリング作動／再構成信号伝達の復号を試行するように構成される、構成要素を含む。
【０００７】
別の実施形態では、ユーザエージェントのための識別子の検出における信頼性を改善するための方法が提供される。本方法は、ユーザエージェントが、ユーザエージェントによって使用されるアップリンク半永続スケジューリングリソースが解放されると、物理的ダウンリンク制御チャネル上で半永続スケジューリング作動／再構成信号伝達の復号を試行するステップを停止するステップを含む。
【０００８】
別の実施形態では、ユーザエージェントが提供される。ユーザエージェントは、ユーザエージェントによって使用されるアップリンク半永続スケジューリングリソースが解放されると、物理的ダウンリンク制御チャネル上で半永続スケジューリング作動／再構成信号伝達の復号を試行するステップを停止するように構成される、構成要素を含む。
【０００９】
別の実施形態では、ユーザエージェントのための識別子の検出における信頼性を改善する、ユーザエージェントおよび方法が提供される。本方法は、間欠受信サイクル情報を受信するステップと、バッファ状態報告を送信するステップと、バッファ状態報告が送信された後のみ、物理的ダウンリンク制御チャネル上で半永続スケジューリング（ＳＰＳ）作動／再構成信号伝達の検出を試行するステップと、を含む。
【００１０】
別の実施形態では、識別子の信号伝達における信頼性を改善するためのアクセスデバイスおよび方法が提供される。本方法は、間欠受信サイクル情報を送信するステップと、バッファ状態報告を受信するステップと、バッファ状態報告の受信後のみ、物理的ダウンリンク制御チャネル上で半永続スケジューリング（ＳＰＳ）作動／再構成信号伝達を伝送するステップと、を含む。
【００１１】
ＵＡ１１０とアクセスデバイスとの間のボイスセッションの間、トークスパートが、無音期間と交互に起こることができる。トークスパートが終了し、無音期間がアップリンク上で開始すると、ＵＡは、典型的には、ＵＡが使用していたアップリンクリソースにおける伝送を停止する。ダウンリンク上では、ＵＡは、典型的には、ＵＡが割り当てられているダウンリンクリソースのける受信を停止する。ＵＡが、アップリンクリソースにおける伝送を停止すると、次いで、アクセスデバイスは、別のＵＡにリソースを許可可能となる。リソースの解放は、ＵＡによって、またはアクセスデバイスによって、始動可能である。無音期間が終了し、新しいトークスパートがアップリンク上で開始すると、ＵＡは、アクセスデバイスがデータパケットの伝送を再開するための新しいアップリンクリソースをＵＡに許可することを要求してもよい。ダウンリンク上では、アクセスデバイスは、データパケットの受信を再開するための新しいダウンリンクリソースをＵＡに許可する。
【００１２】
半永続スケジューリング（ＳＰＳ）または構成スケジューリングとして知られる手順では、データパケットのためのリソースが許可され、次いで、実質的に同一リソースが、後続データパケットのために周期的に使用される。すなわち、半永続的スケジューリングでは、アクセスデバイスが、アップリンクまたはダウンリンク上でデータパケットのために提供するリソースは、許可および／または単一のスケジューリング要求に基づいて、規則的に間隔で割り当てられる。ＳＰＳリソースのオリジナル許可は、ＳＰＳ作動と称され得る。後続時間において、アクセスデバイスが、ＳＰＳリソースに異なるパラメータを再配分する必要がある場合、その後続許可は、ＳＰＳ再構成と称され得る。
【００１３】
アクセスデバイスは、典型的には、物理的ダウンリンク制御チャネル（ＰＤＣＣＨ）上でＵＡにＳＰＳ作動／再構成信号伝達を送信することによって、ＵＡにアップリンクまたはダウンリンクリソースを許可する。ＵＡがＰＤＣＣＨを聴取し、ＰＤＣＣＨ上で受信したデータの復号を試行する間の時間期間は、アクティブ時間（ＴＳ  ３６．３２１）と称され得る。ＳＰＳ作動／再構成信号伝達は、ＵＡが、典型的には、アクティブ時間の間、聴取し、復号を試行するデータの一部のみである場合がある。ＵＡが、アクティブ時間ではない時、ＵＡは、アクセスデバイスからデータを受信し得ない。
【００１４】
間欠受信（ＤＲＸ）オン継続期間として知られる時間の期間は、ＰＤＣＣＨを監視する目的のために、ＵＡが起動している周期的期間として定義され得る。ＤＲＸオン継続期間の長さは、オン継続期間タイマによって制御される。ＤＲＸサイクルは、ＤＲＸオン継続期間と、続く非アクティビティ可能期間（すなわち、ＤＲＸオフ継続期間）の周期的反復である。例えば、ＤＲＸサイクルは、２０ミリ秒継続するものと定義され、ＤＲＸオン継続期間は、その２０ミリ秒内の４ミリ秒として定義される場合がある。他のアクティビティが進行していない場合、ＵＡは、４ミリ秒間、ＰＤＣＣＨを監視するために起動し、次いで、１６ミリ秒間、スリープ状態となるであろう。この場合、アクティブ時間およびＤＲＸオン継続期間は、同一長を有する。しかしながら、ある場合には、ＵＡがＰＤＣＣＨを監視する実際の時間（アクティブ時間）は、ＤＲＸオン継続期間を超えて延長される必要があってもよい。例えば、非アクティビティタイマが、ＤＲＸオン継続期間の終了時に作動している場合、またはＵＡが、ＤＲＸオン継続期間の終了時に可能な再送信を待機している場合、アクティブ時間は、所定のＤＲＸオン継続期間を超えて延長され得る。例えば、あるＤＲＸサイクルの間、ＵＡは、４ミリ秒超、例えば、１８ミリ秒間、ＰＤＣＣＨを監視することが必要であってもよい。この場合、ＵＡは、２ミリ秒の間のみ、スリープ状態となるであろう。アクティブ時間は、１８ミリ秒となるが、ＤＲＸオン継続期間は、予め定義された４ミリ秒のままであるだろう。
【００１５】
ＰＤＣＣＨは、アップリンクリソースが許可されるＵＡを指定する、セル無線ネットワーク一時的識別子（ＣＲＮＴＩ）、ＳＰＳ  ＲＮＴＩ、または類似識別子を含むことが可能である。ＵＡは、典型的には、アクティブ時間を通して、ＰＤＣＣＨペイロードを監視または復号し、ＰＤＣＣＨペイロードのうちの１つが、そのＵＡにアドレスされた識別子を含有するかどうかを判定する。本明細書で使用されるように、「ペイロード」という用語は、任意のフォーマットされたメッセージを指す場合がある。ＵＡが、ＰＤＣＣＨペイロードをＵＡの識別子で復号すると、ＵＡは、ＰＤＣＣＨペイロードに提供されるリソース配分が、そのＵＡのために意図されていることを把握する。
【００１６】
ある場合には、ＵＡは、そのＵＡにアドレスされたものではないが、ＵＡが、誤って、自身に付与されていると識別する、識別子を受信する場合がある。次いで、ＵＡは、ＵＡが、誤って、それに配分されたものであると仮定する、リソース上でデータの伝送を試行する場合がある。そのような誤報または誤検出は、ＵＡの計算能力およびバッテリ電力の無駄となり得る。
【００１７】
ある実施形態では、これらの誤報は、ＵＡがＳＰＳ作動／再構成信号伝達の検出および復号を試行する間の時間の長さを限定することによって、制限される。具体的には、ＵＡは、アクティブ時間のＤＲＸオン継続期間部分の間のみ、ＳＰＳ作動／再構成信号伝達の検出および復号を試行する。いくつかの実施形態では、ＵＡは、ＵＡに配分されたリソースが解放されると、ＳＰＳ作動／再構成信号伝達の検出および復号を試行するステップを停止する。いくつかの実施形態では、ＵＡは、アクセスデバイスがアップリンクリソースをＵＡに許可することを要求するメッセージをアクセスデバイスに送信後のみ、ＳＰＳ作動／再構成信号伝達の検出および復号を試行するステップを開始する場合がある。メッセージは、バッファ状態報告または音声パケットを含む場合がある。
【００１８】
ここで、本開示のより完全な理解のために、添付の図面および発明を実施するための形態と関連して、以下の簡単な説明を参照する（類似参照数字は、類似部品を表す）。
【図面の簡単な説明】
【００１９】
【図１】図１は、本開示の一実施形態による、アクティブ時間およびＤＲＸオン継続期間の図である。
【図２】図２は、本開示の実施形態による、半永続的スケジューリング作動／再作動におけるイベントの略図である。
【図３】図３は、本開示の実施形態による、半永続的スケジューリング作動／再作動における信頼性を改善するための方法の略図である。
【図４】図４は、本開示の種々の実施形態のうちのいくつかに対して、動作可能なユーザエージェントを含む無線通信システムの図である。
【図５】図５は、本開示の種々の実施形態のうちのいくつかに対して、動作可能なユーザエージェントのブロック図である。
【図６】図６は、本開示の種々の実施形態のうちのいくつかに対して、動作可能なユーザエージェント上に実装されてもよい、ソフトウェア環境の図である。
【図７】図７は、本開示の種々の実施形態のうちのいくつかに適切な、例示的な汎用コンピュータシステムである。
【発明を実施するための形態】
【００２０】
図１は、ＵＡがＳＰＳ作動／再構成信号伝達の検出および復号を試行する間の時間の長さの制限の実施形態を図示する。ある場合には、アクティブ時間は、ＤＲＸオン継続期間より長いことが分かる。ある実施形態では、ＵＡは、アクティブ時間のＤＲＸオン継続期間部分の間のみ、ＳＰＳ作動／再構成信号伝達の検出および復号を試行する。
【００２１】
すなわち、ＤＲＸが実装されると、アクセスデバイスは、典型的には、ＤＲＸオン継続期間の間のみ、ＳＰＳ作動／再構成信号伝達を伝送する。これは、典型的には、作動のためのトークスパートの開始時および再構成のためのトークスパートの間に行われる。アクセスデバイスは、ＤＲＸオン継続期間外には、ＳＰＳ作動／再構成信号伝達を伝送しないため、ＵＡは、ＤＲＸオン継続期間外に、ＳＰＳ作動／再構成信号伝達の検出を試行する必要はない。ＳＰＳ作動／再構成信号伝達のための検出時間をＤＲＸオン継続期間のみに限定することによって、ＳＰＳ作動／再構成の誤報確率は、低減され得る。
【００２２】
図２は、半永続的にスケジューリングされたアップリンクリソースの設定の際に生じ得る、一連のイベントを図示する。イベントは、イベントが、必ずしも、定期的間隔で生じない場合でも、図面中に定期的に離間される垂直線によって表される。無音期間１１５が終了し、トークスパート１２０が、イベント１３０で開始し、新しいアップリンク音声パケットが、ＵＡで利用可能となる。新しいアップリンク音声パケットの到着は、ＵＡからアクセスデバイスへのアップリンク伝送が確立される必要があることを示す。
【００２３】
ＵＡが、アップリンクリソースが確立される必要があることを認識すると、ＵＡは、スケジューリング要求をアクセスデバイスにイベント１４０で送信し、ＵＡがアクセスデバイスに送信するためのデータを有することを示す。スケジューリング要求は、典型的には、ＵＡがスケジューリング要求チャネル上でアクセスデバイスに送信する、単一情報ビット等のインジケータである。スケジューリング要求チャネルは、具体的には、アクセスデバイスからリソースを要求するためのチャネルをＵＡに提供する目的のために従来確立される、ＵＡとアクセスデバイスとの間の専用チャネルである。ＵＡが、インジケータをスケジューリング要求チャネル上で伝送すると、アクセスデバイスは、ＵＡがデータをアクセスデバイスに送信するために使用可能なアップリンクリソースの要求としてこれを解釈する。
【００２４】
イベント１５０では、ＵＡからのインジケータの受信に応じて、アクセスデバイスは、ＰＤＣＣＨ上の制御メッセージを介して、最小量のリソース容量をＵＡに許可する。本制御メッセージは、ＵＡのための識別子を含有する。ＰＤＣＣＨ上での制御メッセージの受信に応じて、ＵＡは識別子を検証し、識別子がＵＡにアドレスされたものであるかどうかを判定する。
【００２５】
イベント１６０では、制御メッセージ内の識別子が、ＵＡにアドレスされている場合、ＵＡは、制御メッセージを介して提供される最小無線リソースを使用して、バッファ状態報告または音声パケットのいずれかをアクセスデバイスに送信する。バッファ状態報告または音声パケットは、データの質、および／またはＵＡが送信を所望するデータの周期性、ならびにサービス情報の質等の他の可能な情報をアクセスデバイスに通知あるいは暗示可能である。アクセスデバイスは、本情報を使用して、ＵＡが送信を所望するデータのためにＵＡが必要とするリソース容量の質を判定し、次いで、適切なリソースを周期的に許可する。ＵＡは、リソースをイベント１７０で受信する。
【００２６】
イベント１８０では、トークスパート１２０が終了し、別の無音期間１１５が開始する。ＵＡに許可された半永続的にスケジューリングされたリソースは、その時点で、ＵＡによって、またはＵＡが通信しているアクセスデバイスによって、解放される。ある実施形態では、ＵＡは、その時点で、ＳＰＳ作動／再構成信号伝達の検出および復号を試行するステップを停止する。ある場合には、ＵＡは、ＵＡがアクセスデバイスにバッファ状態報告または音声パケットを送信する、イベント１６０が発生後、ＳＰＳ作動／再構成信号伝達の検出および復号を試行するステップを開始する場合がある。ＵＡが、ＳＰＳ作動／再構成信号伝達の検出および復号を試行する間の時間の長さを限定することによって、ＵＡが、誤って、それにアドレスされていない識別子を検出する確率が、低減され得る。
【００２７】
図３は、アップリンク作動手順の間、ＵＡのための識別子の検出における信頼性を改善するための方法２００の実施形態を図示する。ブロック２１０では、ＵＡは、ＤＲＸオン継続期間の間のみ、ＳＰＳ作動／再構成信号伝達の復号を試行する。ある場合には、ＵＡは、ＵＡがアクセスデバイスと通信するために使用しているリソースが解放されると、アップリンクＳＰＳ作動／再構成信号伝達の復号を試行するステップを停止する場合がある。ある場合には、ＵＡは、ＵＡがアクセスデバイスにバッファ状態報告または音声パケットを送信すると、アップリンクＳＰＳ作動／再構成信号伝達の復号を試行するステップを開始する場合がある。
【００２８】
図４は、ＵＡ１１０の実施形態を含む、無線通信システムを図示する。ＵＡ１１０は、本開示の側面を実装するために動作可能であるが、本開示は、これらの実装に限定されるべきではない。携帯電話として図示されているが、ＵＡ１１０は、無線ハンドセット、ポケットベル、携帯情報端末（ＰＤＡ）、携帯用コンピュータ、タブレットコンピュータ、またはラップトップコンピュータを含む、種々の形態を成してもよい。多くの好適なデバイスは、これらの機能の一部または全部を組み合わせている。本開示のいくつかの実施形態では、ＵＡ１１０は、携帯用、ラップトップ、またはタブレットコンピュータのような汎用コンピュータデバイスではなく、むしろ、携帯電話、無線ハンドセット、ポケットベル、ＰＤＡまたは車載電気通信デバイス等の特殊用途通信デバイスである。別の実施形態では、ＵＡ１１０は、携帯用、ラップトップ、または他のコンピュータデバイスであってもよい。ＵＡ１１０は、さらに、デバイスであってもよく、デバイスを含んでもよく、または、類似の機能を有するが、固定の電話回線、デスクトップコンピュータ、セットトップボックスまたはネットワークノード等、可搬型ではないデバイスに含まれてもよい。ＵＡ１１０は、ゲーム、在庫管理、ジョブ制御、および／またはタスク管理機能等、特殊活動をサポートしてもよい。
【００２９】
ＵＡ１１０は、ディスプレイ４０２を含む。ＵＡ１１０はまた、ユーザによる入力のために、概して４０４と称される、タッチセンサ式表面、キーボード、または他の入力キーも含む。キーボードは、ＱＷＥＲＴＹ、Ｄｖｏｒａｋ、ＡＺＥＲＴＹ、および順列型等の完全または簡略英数字キーボード、または電話用キーパッドに付随するアルファベット文字を伴う従来のテンキーであってもよい。入力キーは、トラックボール、終了またはエスケープキー、トラックボール、および内向きに押下され、さらなる入力機能を提供し得る他のナビゲーションあるいは機能キーを含んでもよい。ＵＡ１１０は、ユーザが選択するためのオプション、ユーザが作動させるための制御、および／またはユーザが指図するためのカーソルあるいは他の指標を提示してもよい。
【００３０】
ＵＡ１１０はさらに、ダイヤルする番号、またはＵＡ１１０の動作を構成するための種々のパラメータ値を含む、ユーザからのデータ入力を受け取ってもよい。ＵＡ１１０はさらに、ユーザコマンドに応じて、１つ以上のソフトウェアまたはファームウェアアプリケーションを実行してもよい。これらのアプリケーションは、ユーザ対話に応じて、種々のカスタマイズされた機能を果たすようにＵＡ１１０を構成してもよい。加えて、ＵＡ１１０は、例えば、無線基地局、無線アクセスポイント、またはピアＵＡ１１０から、無線でプログラムおよび／または構成されてもよい。
【００３１】
ＵＡ１１０によって実行可能な種々のアプリケーションの中には、ディスプレイ４０２がウェブページを表示することを可能にするウェブブラウザがある。ウェブページは、無線ネットワークアクセスノード、携帯電話の基地局、ピアＵＡ１１０、または任意の他の無線通信ネットワークあるいはシステム４００との無線通信を介して、取得されてもよい。ネットワーク４００は、インターネット等の有線ネットワーク４０８に連結されてもよい。無線リンクおよび有線ネットワークを介して、ＵＡ１１０は、サーバ４１０等の種々のサーバ上の情報へのアクセスを有する。サーバ４１０は、ディスプレイ４０２上に示され得る、コンテンツを提供してもよい。代替として、ＵＡ１１０は、中継式またはホップ式接続において、媒介として作用するピアＵＡ１１０を通して、ネットワーク４００にアクセスしてもよい。
【００３２】
図５は、ＵＡ１１０のブロック図を示す。ＵＡ１１０の種々の周知の構成要素が描写されるが、ある実施形態では、列挙される構成要素のサブセットおよび／または列挙されていない付加的構成要素が、ＵＡ１１０内に含まれてもよい。ＵＡ１１０は、デジタル信号プロセッサ（ＤＳＰ）５０２と、メモリ５０４と、を含む。示されるように、さらに、ＵＥ１１０は、アンテナおよびフロントエンドユニット５０６と、無線周波数（ＲＦ）送受信機５０８と、アナログベースバンド処理ユニット５１０と、マイクロホン５１２と、イヤホンスピーカ５１４と、ハンドセットポート５１６と、入／出力インターフェース５１８と、取り外し可能メモリカード５２０と、ユニバーサルシリアルバス（ＵＳＢ）ポート５２２と、近距離無線通信サブシステム５２４と、アラート５２６と、キーパッド５２８と、液晶ディスプレイ（ＬＣＤ）（タッチセンサ式表面５３０を含み得る）と、ＬＣＤコントローラ５３２と、電荷結合素子（ＣＣＤ）カメラ５３４と、カメラコントローラ５３６と、全地球測位システム（ＧＰＳ）センサ５３８と、を含んでもよい。ある実施形態では、ＵＡ１１０は、タッチセンサ式画面を提供しない、別の種類のディスプレイを含んでもよい。ある実施形態では、ＤＳＰ５０２は、入／出力インターフェース５１８を通さずに、メモリ５０４と直接通信してもよい。
【００３３】
ＤＳＰ５０２または何らかの他の形態のコントローラあるいは中央処理ユニットは、メモリ５０４に記憶された、またはＤＳＰ５０２自体内に含有されるメモリに記憶された、組み込みソフトウェアまたはファームウェアに従って、ＵＡ１１０の種々の構成要素を制御するように動作する。内蔵ソフトウェアまたはファームウェアに加え、ＤＳＰ５０２は、メモリ５０４に格納される、あるいは取り外し可能メモリカード５２０のようなポータブルデータ保存媒体等の情報搬送媒体を経由して、もしくは有線または無線ネットワーク通信を経由して利用される、他のアプリケーションを実行してもよい。アプリケーションソフトウェアは、所望の機能性を提供するようにＤＳＰ５０２を構成する、コンパイルされた機械可読命令集合を備えてもよく、あるいはアプリケーションソフトウェアは、インタープリタまたはコンパイラによって処理され、ＤＳＰ５０２を間接的に構成する高レベルソフトウェア命令であってもよい。
【００３４】
アンテナおよびフロントエンドユニット５０６は、無線信号と電気信号との間で変換するように提供されてもよく、ＵＡ１１０が、セルラーネットワークまたは何らかの他の利用可能な無線通信ネットワークから、あるいはピアＵＡ１１０から、情報を送受信することを可能にする。ある実施形態では、複数のアンテナを含み、アンテナおよびフロントエンドユニット５０６は、ビーム形成および／または多重入出力（ＭＩＭＯ）をサポートしてもよい。当業者には周知のように、ＭＩＭＯ動作は、困難なチャネル条件を克服し、および／またはチャネル処理能力を増加させるために使用可能な空間的多様性を提供し得る。アンテナおよびフロントエンドユニット５０６は、アンテナ同調および／またはインピーダンス整合構成要素、ＲＦ電力増幅器、ならびに／あるいは低雑音増幅器を含んでもよい。
【００３５】
ＲＦ送受信機５０８は、周波数シフト、受信したＲＦ信号のベースバンドへの変換、およびベースバンド伝送信号のＲＦへの変換を提供する。ある説明では、無線送受信機またはＲＦ送受信機は、変調／復調、符号化／復号化、インターリービング／デインターリービング、拡散／逆拡散、逆フーリエ変換（ＩＦＦＴ）／高速フーリエ変換（ＦＦＴ）、サイクリックプレフィックス付加／除去、および他の信号処理機能等の他の信号処理機能性を含むものと理解されてもよい。明確にするため、本明細書の説明は、本信号処理とＲＦおよび／または無線段階の説明を分離し、信号処理をアナログベースバンド処理ユニット５１０および／またはＤＳＰ５０２あるいは他の中央処理ユニットに概念的に配分する。いくつかの実施形態では、ＲＦ送受信機５０８、アンテナおよびフロントエンド５０６の一部、ならびにアナログベースバンド処理ユニット５１０は、１つ以上の処理ユニットおよび／または特定用途向け集積回路（ＡＳＩＣ）内に組み合わせられてもよい。
【００３６】
アナログベースバンド処理ユニット５１０は、入力および出力の種々のアナログ処理、例えば、マイクロホン５１２およびハンドセット５１６からの入力、ならびにイヤホン５１４およびハンドセット５１６への出力のアナログ処理を提供してもよい。本目的のために、アナログベースバンド処理ユニット５１０は、ＵＡ１１０を携帯電話として使用可能にする、内蔵マイクロホン５１２およびイヤホンスピーカ５１４に接続するためのポートを有してもよい。さらに、アナログベースバンド処理ユニット５１０は、ハンドセットまたは他のハンズフリーマイクロホンおよびスピーカ構成に接続するためのポートを含んでもよい。アナログベースバンド処理ユニット５１０は、ある信号方向では、デジタル／アナログ変換、反対信号方向では、アナログ／デジタル変換を提供してもよい。いくつかの実施形態では、アナログベースバンド処理ユニット５１０の機能性の少なくとも一部は、デジタル処理構成要素、例えば、ＤＳＰ５０２または他の中央処理ユニットによって提供されてもよい。
【００３７】
ＤＳＰ５０２は、変調／復調、符号化／復号化、インターリービング／デインターリービング、拡散／逆拡散、逆フーリエ変換（ＩＦＦＴ）／高速フーリエ変換（ＦＦＴ）、サイクリックプレフィックス付加／除去、および無線通信に付随する他の信号処理機能を行なってもよい。ある実施形態では、例えば、符号分割多重アクセス（ＣＤＭＡ）技術用途において、伝送器機能のために、ＤＳＰ５０２は、変調、符号化、インターリービング、および拡散を行ってもよく、受信機機能のために、ＤＳＰ５０２は、逆拡散、デインターリービング、復号、および復調を行ってもよい。別の実施形態では、例えば、直交周波数分割多重アクセス（ＯＦＤＭＡ）技術用途において、伝送器機能のために、ＤＳＰ５０２は、変調、符号化、インターリービング、逆高速フーリエ変換、および周期的接頭辞添付を行ってもよく、受信機機能のために、ＤＳＰ５０２は、周期的接頭辞除去、高速フーリエ変換、デインターリービング、復号、および復調を行ってもよい。他の無線技術用途では、さらに他の信号処理機能および信号処理機能の組み合わせが、ＤＳＰ５０２によって行なわれてもよい。
【００３８】
ＤＳＰ５０２は、アナログベースバンド処理ユニット５１０を介して、無線ネットワークと通信してもよい。いくつかの実施形態では、通信は、インターネット接続を提供し、ユーザが、インターネット上のコンテンツへのアクセスを取得し、電子メールまたはテキストメッセージを送受信可能にしてもよい。入／出力インターフェース５１８は、ＤＳＰ５０２と種々のメモリおよびインターフェースとを相互接続する。メモリ５０４および可撤性メモリカード５２０は、ＤＳＰ５０２の動作を構成するためのソフトウェアおよびデータを提供してもよい。インターフェースの中には、ＵＳＢインターフェース５２２および短距離無線通信サブシステム５２４があってもよい。ＵＳＢインターフェース５２２を使用して、ＵＡ１１０を充電する、また、ＵＡ１１０を周辺デバイスとして機能させ、パーソナルコンピュータまたは他のコンピュータシステムと情報を交換可能にしてもよい。短距離無線通信サブシステム５２４は、赤外線ポート、Ｂｌｕｅｔｏｏｔｈインターフェース、ＩＥＥＥ８０２．１１に準拠する無線インターフェース、または、ＵＡ１１０の他の近くの携帯デバイスおよび／または無線基地局との無線通信を可能にし得る、任意の他の短距離無線通信サブシステムを含んでもよい。
【００３９】
入力／出力インターフェース５１８はさらに、トリガされると、例えば、ベルを鳴らす、メロディを再生する、または振動することによって、ＵＡ１１０にユーザへ通知を提供させる、アラート５２６にＤＳＰ５０２を接続してもよい。アラート５２６は、無音振動、または特定の発呼者に対して予め割り当てられた指定のメロディ再生によって、着呼、新しいテキストメッセージ、およびスケジュールリマインダ等の種々のイベントのいずれかをユーザに警告するための機構としての役割を果たしてもよい。
【００４０】
キーパッド２８は、インターフェース５１８を介して、ＤＳＰ５０２に連結し、ユーザが選択を行う、情報を入力する、および別様ＵＡ１１０に入力を提供するための１つの機構を提供する。キーボード５２８は、ＱＷＥＲＴＹ、Ｄｖｏｒａｋ、ＡＺＥＲＴＹ、および順列型等の完全または簡略英数字キーボード、または電話用キーパッドに付随するアルファベット文字を伴う従来のテンキーであってもよい。入力キーは、トラックボール、終了またはエスケープキー、トラックボール、および内向きに押下され、さらなる入力機能を提供し得る他のナビゲーションあるいは機能キーを含んでもよい。別の入力機構は、タッチスクリーン能力を含み、また、テキストおよび／またはグラフィックをユーザに表示し得る、ＬＣＤ５３０であってもよい。ＬＣＤコントローラ５３２は、ＤＳＰ５０２をＬＣＤ５３０に連結する。
【００４１】
ＣＣＤカメラ５３４は、装備された場合、ＵＡ１１０がデジタル写真を撮ることを可能にする。ＤＳＰ５０２は、カメラコントローラ５３６を介して、ＣＣＤカメラ５３４と通信する。別の実施形態では、電荷結合素子カメラ以外の技術に従って動作するカメラが採用されてもよい。ＧＰＳセンサ５３８は、グローバルポジショニングシステム信号を復号するようにＤＳＰ５０２に連結され、それによって、ＵＡ１１０がその位置を判定することを可能にする。また、種々の他の周辺機器が含められ、付加的機能、例えば、無線およびテレビ受信を提供してもよい。
【００４２】
図６は、ＤＳＰ５０２によって実装され得る、ソフトウェア環境６０２を図示する。ＤＳＰ５０２は、ソフトウェアの残りが動作するプラットフォームを提供する、オペレーティングシステムドライバ６０４を実行する。オペレーティングシステムドライバ６０４は、アプリケーションソフトウェアにアクセス可能である標準化インターフェースをＵＡハードウェアのためのドライバに提供する。オペレーティングシステムドライバ６０４は、ＵＡ１１０上で作動するアプリケーション間の制御を転送する、アプリケーション管理サービス（「ＡＭＳ」）６０６を含む。また、図６に示されるのは、ウェブブラウザアプリケーション６０８、メディアプレーヤアプリケーション６１０、およびＪａｖａ（登録商標）アプレット６１２である。ウェブブラウザアプリケーション６０８は、ＵＡ１１０をウェブブラウザとして動作するように構成し、ユーザが、フォームに情報を入力し、リンクを選択して、ウェブページを読み出しおよび閲覧することを可能にする。メディアプレーヤアプリケーション６１０は、音声または視聴覚媒体を読み出し、再生するようにＵＡ１１０を構成する。Ｊａｖａ（登録商標）アプレット６１２は、ゲーム、ユーティリティ、および他の機能性を提供するようにＵＡ１１０を構成する。構成要素６１４は、本開示に関係する機能性を提供する場合がある。
【００４３】
上記で説明されるＵＡ１１０および他の構成要素は、上記で説明される作用に関する命令を実行することが可能である、処理構成要素を含む場合がある。図７は、本明細書で開示される１つ以上の実施形態を実装するために好適な処理構成要素１３００を含む、システム１３１０の実施例を図示する。プロセッサ１３１０（中央プロセッサユニットまたはＣＰＵと称され得る）に加えて、システム１３００は、ネットワーク接続デバイス１３２０、ランダムアクセスメモリ（ＲＡＭ）１３３０、読み出し専用メモリ（ＲＯＭ）１３４０、２次記憶装置１３５０、入出力（Ｉ／Ｏ）デバイス１３６０を含む場合がある。ある場合には、これらの構成要素のうちのいくつかは、存在しなくてもよく、あるいは相互または図示されない他の構成要素との種々の組み合わせとして組み合わされてもよいこれらの構成要素は、単一の物理的実体に、または１つより多くの物理的実体に位置する場合がある。プロセッサ１３１０によって行われるものとして本明細書で説明される、任意の作用は、プロセッサ１３１０によって単独で、または、図面に示されている、あるいは示されていない１つ以上の構成要素と併せて、プロセッサ１３１０によって行われる場合がある。
【００４４】
プロセッサ１３１０は、それがネットワーク接続デバイス１３２０、ＲＡＭ１３３０、ＲＯＭ１３４０、または２次記憶装置１３５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのプロセッサ１３１０のみ示されるが、複数のプロセッサが存在してもよい。したがって、命令は、プロセッサによって実行されるものとして論議され得るが、命令は、同時に、連続的に、または別様に、１つまたは複数のプロセッサによって実行されてもよい。プロセッサ１３１０は、１つ以上のＣＰＵチップとして実装されてもよい。
【００４５】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の周知のデバイスの形態を成してもよい。これらのネットワーク接続デバイス１３２０は、プロセッサ１３１０が情報を受信する場合がある、またはプロセッサ１３１０が情報を出力する場合がある、インターネットまたは１つ以上の電気通信ネットワーク、あるいは他のネットワークと、プロセッサ１３１０が通信することを可能にしてもよい。
【００４６】
ネットワーク接続デバイス１３２０はまた、無線周波数信号またはマイクロ波周波数信号等の電磁波の形態で、データを無線で伝送および／または受信することが可能な１つ以上の送受信機構成要素１３２５も含む場合がある。代替として、データは、導電体の表面内または上、同軸ケーブル内、導波管内、光ファイバ等の光媒体内、あるいは他の媒体内を伝播してもよい。送受信機構成要素１３２５は、別個の受信および伝送ユニット、または単一の送受信機を含む場合がある。送受信機構成要素１３２５によって送受信される情報は、プロセッサ１３１０によって処理されたデータ、またはプロセッサ１３１０によって実行されるべき命令を含む。そのような情報は、例えば、コンピュータデータベースバンド信号または搬送波として具現化される信号の形態として、ネットワークから受信され、かつネットワークに出力されてもよい。データは、データを処理または生成するか、あるいはデータを伝送または受信するために望ましくてもよいような異なる順序に従って、順序付けられてもよい。ベースバンド信号、搬送波に組み込まれた信号、または、現在使用されている、あるいは今後開発される他の種類の信号が、伝送媒体と呼ばれてもよく、当業者に周知のいくつかの方法に従って生成されてもよい。
【００４７】
ＲＡＭ１３３０を使用して、揮発データ、および可能性として、プロセッサ１３１０によって実行される命令を記憶する場合がある。ＲＯＭ１３４０は、典型的には、２次記憶装置１３５０のメモリ容量より小さいメモリ容量を有する、不揮発性メモリデバイスである。ＲＯＭ１３４０を使用して、命令、および可能性として、命令の実行の際に読み取られるデータを記憶する場合がある。ＲＡＭ１３３０およびＲＯＭ１３４０両方へのアクセスは、典型的には、２次記憶装置１３５０より高速である。２次記憶装置１３５０は、典型的には、１つ以上のディスクドライブまたはテープドライブから成り、ＲＡＭ１３３０が全作業データを保持するほど十分に大きくない場合に、データの不揮発性記憶のために、またはオーバーフローデータ記憶デバイスとして使用される場合がある。２次記憶装置１３５０は、ＲＡＭ１３３０にロードされるプログラムが実行のために選択されると、そのようなプログラムを記憶するために使用されてもよい。
【００４８】
Ｉ／Ｏデバイス１３６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含んでもよい。また、送受信機１３２５は、ネットワーク接続デバイス１３２０の構成要素の代わりに、またはそれに加えて、Ｉ／Ｏデバイス１３６０の構成要素と見なされる場合がある。Ｉ／Ｏデバイス１３６０の一部または全部は、ディスプレイ４０２および入力４０４等、ＵＡ１１０の上述の図面に描写された種々の構成要素に実質的に類似してもよい。
【００４９】
以下の第３世代のパートナーシッププロジェクト（３ＧＰＰ）技術仕様（ＴＳ）、ＴＳ３６．３２１は、参照することによって本明細書に組み込まれる。
【００５０】
いくつかの実施形態を本開示で提供したが、開示されたシステムおよび方法は、本開示の精神または範囲から逸脱することなく、多くの他の具体的形態で具現化されてもよいことを理解されたい。本実施例は、制限ではなく、例証としてみなされるべきであって、本明細書に与えられる詳細に制限されることを意図するものではない。例えば、種々の要素または構成要素は、組み合わされる、または別のシステムに統合されてもよく、あるいはある特徴は、省略される、もしくは実装されてなくてもよい。
【００５１】
また、個別または別個のものとして種々の実施形態で説明および例証される、技術、システム、サブシステム、および方法は、本開示の範囲から逸脱することなく、他のシステム、モジュール、技術、または方法と組み合わされるか、あるいは統合されてもよい。連結される、または直接連結される、あるいは互いに通信するように図示もしくは論じられた他の項目は、あるインターフェース、デバイス、または中間構成要素を通して、電気的に、機械的に、あるいは別様にかにかかわらず、間接的に連結される、もしくは通信してもよい。変更、置換、および代替の他の実施例は、当業者によって究明可能であって、本明細書に開示される精神および範囲から逸脱することなく成され得る。
【図１】
2012503444.tif 000003
【図２】
2012503444.tif 000004
【図３】
2012503444.tif 000005
【図４】
2012503444.tif 000006
【図５】
2012503444.tif 000007
【図６】
2012503444.tif 000008
【図７】
2012503444.tif 000009
【手続補正書】
【提出日】平成23年4月26日(2011.4.26)
【手続補正１】
【補正対象書類名】図面
【補正対象項目名】全図
【補正方法】変更
【補正の内容】
【図１】
2012503444.tif 000010
【図２】
2012503444.tif 000011
【図３】
2012503444.tif 000012
【図４】
2012503444.tif 000013
【図５】
2012503444.tif 000014
【図６】
2012503444.tif 000015
【図７】
2012503444.tif 000016
【手続補正２】
【補正対象書類名】明細書
【補正対象項目名】００１８
【補正方法】変更
【補正の内容】
【００１８】
ここで、本開示のより完全な理解のために、添付の図面および発明を実施するための形態と関連して、以下の簡単な説明を参照する（類似参照数字は、類似部品を表す）。
例えば、本発明は以下の項目を提供する。
（項目１）
ユーザエージェントのための識別子の検出における信頼性を改善するための方法であって、
間欠受信サイクル情報を受信するステップと、
バッファ状態報告を送信するステップと、
上記バッファ状態報告が送信された後のみ、物理的ダウンリンク制御チャネル上で半永続スケジューリング（ＳＰＳ）アクティブ化／再構成信号伝達の検出を試行するステップと
を含む、方法。
（項目２）
上記ユーザエージェントによって使用されるアップリンクＳＰＳリソースを解放するステップと、
該解放後、上記ＳＰＳアクティブ化／再構成信号伝達の検出の試行を停止するステップと
をさらに含む、項目１に記載の方法。
（項目３）
バッファ状態報告が送信された後のみ、物理的ダウンリンク制御チャネル上で半永続スケジューリング（ＳＰＳ）アクティブ化／再構成信号伝達の復号を試行するように構成される、構成要素を備える、ユーザエージェント。
（項目４）
上記ユーザエージェントは、該ユーザエージェントによって使用されるアップリンクＳＰＳリソースが解放されると、上記ＳＰＳアクティブ化／再構成信号伝達の復号を試行するステップを停止する、項目３に記載のユーザエージェント。
（項目５）
識別子の信号伝達における信頼性を改善するための方法であって、
間欠受信サイクル情報を送信するステップと、
バッファ状態報告を受信するステップと、
該バッファ状態報告の受信後のみ、物理的ダウンリンク制御チャネル上で半永続スケジューリング（ＳＰＳ）アクティブ化／再構成信号伝達を伝送するステップと
を含む、方法。
（項目６）
バッファ状態報告の受信後のみ、物理的ダウンリンク制御チャネル上で半永続スケジューリング（ＳＰＳ）アクティブ化／再構成信号伝達を伝送するように構成される、構成要素を備える、アクセスデバイス。
（項目７）
ユーザエージェントのための識別子の検出における信頼性を改善するための方法であって、
該ユーザエージェントが、間欠受信（ＤＲＸ）オン継続期間の間のみ、物理的ダウンリンク制御チャネル上で半永続スケジューリング（ＳＰＳ）アクティブ化／再構成信号伝達の復号を試行するステップを含む、方法。
（項目８）
上記ユーザエージェントは、該ユーザエージェントによって使用されるアップリンクＳＰＳリソースが解放されると、上記ＳＰＳアクティブ化／再構成信号伝達の復号を試行するステップを停止する、項目７に記載の方法。
（項目９）
上記ユーザエージェントは、該ユーザエージェントが、バッファ状態報告および音声データパケットのうちの１つをアクセスデバイスに伝送すると、上記ＳＰＳアクティブ化／再構成信号伝達の復号を試行するステップを開始する、項目７に記載の方法。
（項目１０）
上記ＳＰＳアクティブ化／再構成信号伝達は、アップリンクＳＰＳアクティブ化／再構成信号伝達である、項目７に記載の方法。
（項目１１）
間欠受信／送信（ＤＲＸ）オン継続期間間のみ、物理的ダウンリンク制御チャネル上で半永続スケジューリング（ＳＰＳ）アクティブ化／再構成信号伝達を復号するように構成される、構成要素を備える、ユーザエージェント。
（項目１２）
上記ユーザエージェントは、該ユーザエージェントによって使用されるアップリンクＳＰＳリソースが解放されると、上記ＳＰＳアクティブ化／再構成信号伝達の復号を試行するステップを停止する、項目１１に記載のユーザエージェント。
（項目１３）
上記ユーザエージェントは、バッファ状態報告および音声データパケットのうちの１つのアクセスデバイスへの送信に応じて、上記ＳＰＳアクティブ化／再構成信号伝達の復号を試行するステップを開始する、項目１１に記載のユーザエージェント。
（項目１４）
上記ＳＰＳアクティブ化／再構成信号伝達は、アップリンクＳＰＳアクティブ化／再構成信号伝達である、項目１１に記載のユーザエージェント。
（項目１５）
ユーザエージェントのための識別子の検出における信頼性を改善するための方法であって、
該ユーザエージェントが、該ユーザエージェントによって使用されるアップリンクＳＰＳリソースが解放されると、物理的ダウンリンク制御チャネル上で半永続スケジューリング（ＳＰＳ）アクティブ化／再構成信号伝達の復号を試行するステップを停止するステップを含む、方法。
（項目１６）
上記ユーザエージェントは、該ユーザエージェントが、バッファ状態報告および音声データパケットのうちの１つをアクセスデバイスに伝送すると、上記ＳＰＳアクティブ化／再構成信号伝達の復号を試行するステップを開始する、項目１５に記載の方法。
（項目１７）
上記ＳＰＳアクティブ化／再構成信号伝達は、アップリンクＳＰＳアクティブ化／再構成信号伝達である、項目１５に記載の方法。
（項目１８）
上記ユーザエージェントによって使用されるアップリンクＳＰＳリソースが解放されると、物理的ダウンリンク制御チャネル上で半永続スケジューリング（ＳＰＳ）アクティブ化／再構成信号伝達の復号を試行するステップを停止するように構成される、構成要素を備える、ユーザエージェント。
（項目１９）
上記ユーザエージェントは、バッファ状態報告および音声データパケットのうちの１つのアクセスデバイスへの送信に応じて、上記ＳＰＳアクティブ化／再構成信号伝達の復号を試行するステップを開始する、項目１８に記載のユーザエージェント。
（項目２０）
上記ＳＰＳアクティブ化／再構成信号伝達は、アップリンクＳＰＳアクティブ化／再構成信号伝達である、項目１８に記載のユーザエージェント。
【国際調査報告】
2012503444.tif 000017
2012503444.tif 000018
2012503444.tif 000019
2012503444.tif 000020
2012503444.tif 000021